(57)【要約】【課題】室内でも太陽光を布団の一面に十分に当てることができ、効果的に布団の乾燥、殺菌を行えるとともに、雨や花粉等の異物の付着を防止できる布団乾燥装置及び布団乾燥方法を提供する。【解決手段】窓ガラス内面Ｗに着脱可能に固定されるベース部１２と、ベース部１２に連結又は着脱自在に係合されつつ、布団Ｆの一辺側を把持して他辺側を垂下させ布団Ｆの一面側を窓ガラス内面Ｗに近接または密接配置させる把持装置１４と、を備えたことを特徴とする布団乾燥装置１０から構成される。【選択図】図１
2008194325.tif 000002
【特許請求の範囲】
【請求項１】
窓ガラス内面に着脱可能に固定されるベース部と、
ベース部に連結又は着脱自在に係合されつつ、布団の一辺側を把持して他辺側を垂下させ布団の一面側を窓ガラス内面に近接または密接配置させる把持装置と、を備えたことを特徴とする布団乾燥装置。
【請求項２】
把持装置は、布団の一辺側を着脱可能に挟持する一対の挟持片と、挟持片を開閉可能としつつ閉鎖状態をロック保持するロック機構と、を含み、把持装置自体がベース部に対して垂下支持されていることを特徴とする請求項１記載の布団乾燥装置。
【請求項３】
把持装置には、下部位置から上方側に向けて把持装置全体をベース部に対して係着操作可能なように下向き開放のフック部材が設けられたことを特徴とする請求項１または２記載の布団乾燥装置。
【請求項４】
把持装置と協働して窓ガラス内面に対する布団の面を表裏反転させる反転手段が設けられたことを特徴とする請求項１ないし３のいずれかに記載の布団乾燥装置。
【請求項５】
反転手段は、布団の上下辺を反転させる動作で表裏反転させる上下辺反転装置からなることを特徴とする請求項４記載の布団乾燥装置。
【請求項６】
上下辺反転装置は、布団の上辺を把持する第１把持装置と、
布団の下辺を把持する第２把持装置と、
第１、第２把持装置を連結して布団を含むループを形成する索条と、
索条をいずれかの周方向に向けて移動するように駆動させつつ布団の上下辺を反転位置に変位させる駆動装置と、を含むことを特徴とする請求項５記載の布団乾燥装置。
【請求項７】
上下辺反転装置は、布団の上辺を把持する第１把持装置と、
布団の下辺を把持する第２把持装置と、
第２把持装置に接続した索条を介して布団の下辺側を上方に持ち上げ駆動させる持ち上げ駆動装置と、
布団の上辺側の第１把持装置の把持を解除して布団の上辺側を重力落下させる解除装置と、を含むことを特徴とする請求項５記載の布団乾燥装置。
【請求項８】
ベース部は窓ガラス内面に吸着される吸着面と支持用柄部とを含み窓ガラス内面に吸着固定可能な吸盤部材からなる請求項１ないし７のいずれかに記載の布団乾燥装置。
【請求項９】
窓ガラス内面に着脱自在に取り付け固定されるベース部材とそれに連結される把持部材を介して布団の一辺側を把持するとともに他辺側を垂下させ、
布団の一面側を窓ガラス内面に近接または密接配置させた状態で外面からの直接または間接に入射する太陽光により布団を乾燥させることを特徴とする布団乾燥方法。
【発明の詳細な説明】
【技術分野】
【０００１】
本発明は、布団を室内において天日干しするのに好適な布団乾燥装置及び布団乾燥方法に関する。
【背景技術】
【０００２】
布団は人が寝ている間にかいた汗を吸収することにより、弾力性や質感が低下したり、ダニや雑菌が繁殖したり、悪臭が生じやすい。よって、適度に布団を乾燥させて、布団の弾力性や質感の回復、ダニや雑菌の繁殖防止、悪臭防止を図る必要がある。従来、布団を乾燥させる際には、例えば、庭やベランダ等の屋外に設置した物干し竿に布団を二つ折りした状態で掛けて天日干しすることで乾燥及び殺菌を行っていた。また、例えば、特許文献１には、ベランダの無いマンション等でも布団干しを行えるような窓枠に掛ける脱着式ふとん干し装置が提案されている。特許文献１のふとん干し装置は、窓枠の敷居上面、敷居室内側面、及び窓枠の下方の外壁の３箇所で支えるふとん干し装置を窓枠に一対設置し、室外に突出して配置された竿受けに竿を架け、該竿に布団を掛けて干すものであった。
【０００３】
【特許文献１】実開平２−４０３９４号公報
【発明の開示】
【発明が解決しようとする課題】
【０００４】
しかしながら、物干し竿や特許文献１のふとん干し装置のように屋外に布団を干す方法では、晴れの日には太陽光が当たるのを期待できるが、例えば、外出中に雨が降ってきた際には布団を濡らしてしまうおそれがあった。さらに、屋外では布団に花粉、ほこり、車の排ガス、虫、鳥の糞等が付着する可能性も高く、健康面及び衛生面からこれらの異物の付着を避けたい要求も高い。例えば、異物の付着を防止するために室内で布団を干すことも考えられるが、仮に室内に従来の物干し竿や特許文献１のふとん干し装置等を設置できたとしても、窓から入る太陽の光が布団には十分に当たりにくく、布団の乾燥及び殺菌効果を十分に期待できない問題があった。また、物干し竿等に布団を干す方法では、布団が二つ折り状態となるので、太陽の光が布団片面の約半分しか当たらず、布団を掛け直したりする必要があり面倒であった。
【０００５】
本発明は上記従来の課題に鑑みてなされたものであり、その一つの目的は、室内でも太陽光を布団の一面に十分に当てることができ、効果的に布団の乾燥、殺菌を行えるとともに、雨や花粉等の異物の付着を防止できる布団乾燥装置及び布団乾燥方法を提供することにある。
【課題を解決するための手段】
【０００６】
上記課題を解決するために本発明は、窓ガラス内面Ｗに着脱可能に固定されるベース部１２と、ベース部１２に連結又は着脱自在に係合されつつ、布団Ｆの一辺側を把持して他辺側を垂下させ布団Ｆの一面側を窓ガラス内面Ｗに近接または密接配置させる把持装置１４（１４ａ、１４ｂ、１４ｃ、１４ｄ）と、を備えたことを特徴とする布団乾燥装置１０から構成される。
【０００７】
また、把持装置１４は、布団Ｆの一辺側を着脱可能に挟持する一対の挟持片２２と、挟持片２２を開閉可能としつつ閉鎖状態をロック保持するロック機構２４と、を含み、把持装置１４自体がベース部１２に対して垂下支持されていることとしてもよい。挟持片２２は、把持装置１４がベース部に対して垂下支持された際に窓ガラス内面に挟持片が当着するようにするとよい。
【０００８】
また、把持装置１４には、下部位置から上方側に向けて把持装置１４全体をベース部１２に対して係着操作可能なように下向き開放のフック部材２６が設けられたこととしてもよい。
【０００９】
また、把持装置１４と協働して窓ガラス内面Ｗに対する布団Ｆの面を表裏反転させる反転手段（３６）が設けられたこととしてもよい。
【００１０】
また、反転手段（３６）は、布団Ｆの上下辺を反転させる動作で表裏反転させる上下辺反転装置３８、３８ａからなることとしてもよい。
【００１１】
また、上下辺反転装置３８は、布団Ｆの上辺を把持する第１把持装置１４ａと、布団の下辺を把持する第２把持装置１４ｂと、第１、第２把持装置１４ａ、１４ｂを連結して布団Ｆを含むループを形成する索条４０と、索条４０をいずれかの周方向に向けて移動するように駆動させつつ布団Ｆの上下辺を反転位置に変位させる駆動装置４２と、を含むこととしてもよい。駆動装置４２は、例えば、タイマー制御により自動的に駆動、停止して布団を反転させるようにしてもよい。
【００１２】
また、上下辺反転装置３８ａは、布団の上辺を把持する第１把持装置１４ｃと、布団Ｆの下辺を把持する第２把持装置１４ｄと、第２把持装置に接続した索条５８を介して布団Ｆの下辺側を上方に持ち上げ駆動させる持ち上げ駆動装置６０と、布団の上辺側の第１把持装置１４ｃの把持を解除して布団の上辺側を重力落下させる解除装置６２と、を含むこととしてもよい。駆動装置６０、解除装置６２は、例えば、タイマー制御により自動的に駆動、停止あるいは把持の解除を行わせて布団を反転させるようにしてもよい。
【００１３】
また、ベース部１２は窓ガラス内面Ｗに吸着される吸着面１８と支持用柄部２０とを含み窓ガラス内面に吸着固定可能な吸盤部材１６からなることとしてもよい。
【００１４】
さらに、本発明は、窓ガラス内面Ｗに着脱自在に取り付け固定されるベース部材（１６）とそれに連結される把持部材（１４）を介して布団Ｆの一辺側を把持するとともに他辺側を垂下させ、布団Ｆの一面側を窓ガラス内面Ｗに近接または密接配置させた状態で外面からの直接または間接に入射する太陽光により布団を乾燥させることを特徴とする布団乾燥方法から構成される。
【発明の効果】
【００１５】
本発明の布団乾燥装置によれば、窓ガラス内面に着脱可能に固定されるベース部と、ベース部に連結又は着脱自在に係合されつつ、布団の一辺側を把持して他辺側を垂下させ布団の一面側を窓ガラス内面に近接または密接配置させる把持装置と、を備えたことより、室内でも布団の一面側に太陽光を有効に当てることができ、花粉やほこり等の異物付着や外出時等の布団の雨濡れを確実に防止しながら、効果的に布団の乾燥、殺菌を行える。さらに、布団は一辺側を把持して他辺側を垂下させるので、布団を竿に二つ折り状にかけるものに比べて効率よく乾燥することができる。
【００１６】
また、把持装置は、布団の一辺側を着脱可能に挟持する一対の挟持片と、挟持片を開閉可能としつつ閉鎖状態をロック保持するロック機構と、を含み、把持装置自体がベース部に対して垂下支持されている構成とすることにより、把持装置により布団の把持状態を確実に維持できるとともに、把持した布団を窓ガラス内面に密着状に垂下させることができ、窓ガラスから斜めに入射してくる太陽光を広範囲に布団に当てて効果的に乾燥を行える。また、把持装置を布団に簡単に着脱することができる。
【００１７】
また、把持装置には、下部位置から上方側に向けて把持装置全体をベース部に対して係着操作可能なように下向き開放のフック部材が設けられ構成とすることにより、ベース部に対して把持装置を簡単に係着及び離脱させることができる。その結果、例えば、ベース部を常時窓ガラス内面の高い位置に固定させたままとし、離脱した把持装置を低い位置で布団の一辺側に簡単に把持させることができるとともに、フック部材の係着操作により簡単にベース部に対しても着脱操作が行え、使い勝手が良い。
【００１８】
また、把持装置と協働して窓ガラス内面に対する布団の面を表裏反転させる反転手段が設けられた構成とすることにより、所要時間後に反転手段により反転させて布団の表裏両面に太陽光を当てて、より良好に布団の乾燥、殺菌を行える。
【００１９】
また、反転手段は、布団の上下辺を反転させる動作で表裏反転させる上下辺反転装置からなることより、反転手段を簡単な構成で具体的に実現できる。
【００２０】
また、上下辺反転装置は、布団の上辺を把持する第１把持装置と、布団の下辺を把持する第２把持装置と、第１、第２把持装置を連結して布団を含むループを形成する索条と、索条をいずれかの周方向に向けて移動するように駆動させつつ布団の上下辺を反転位置に変位させる駆動装置と、を含むことから、上下辺反転装置を具体的に実現できる。特に、例えば、駆動装置により自動的に反転させるようにすると、外出時等でも布団を自動的に表裏反転させることができ便利である。また、布団の表裏反転操作の労力を低減できる。
【００２１】
また、上下辺反転装置は、布団の上辺を把持する第１把持装置と、布団の下辺を把持する第２把持装置と、第２把持装置に接続した索条を介して布団の下辺側を上方に持ち上げ駆動させる持ち上げ駆動装置と、布団の上辺側の第１把持装置の把持を解除して布団の上辺側を重力落下させる解除装置と、を含むことから、上下辺反転装置を具体的に実現できる。特に、駆動装置により自動的に反転させるようにすると、例えば、外出時等でも布団を自動的に表裏反転させることができ便利である。また、布団の表裏反転操作の労力を低減できる。
【００２２】
また、ベース部は窓ガラス内面に吸着される吸着面と支持用柄部とを含み窓ガラス内面に吸着固定可能な吸盤部材からなることから、低コストで窓ガラス内面に着脱可能に固定されるベース部を具現できる。
【００２３】
さらに、本発明の布団乾燥方法によれば、窓ガラス内面に着脱自在に取り付け固定されるベース部材とそれに連結される把持部材を介して布団の一辺側を把持するとともに他辺側を垂下させ、布団の一面側を窓ガラス内面に近接または密接配置させた状態で外面からの直接または間接に入射する太陽光により布団を乾燥させることから、花粉やほこり等の異物付着や外出時等の布団の雨濡れを確実に防止しながら、効果的に布団の乾燥、殺菌を行える。
【発明を実施するための最良の形態】
【００２４】
以下添付図面を参照しつつ本発明の布団乾燥装置及び布団乾燥方法について説明する。本発明の布団乾燥装置及び布団乾燥方法は、窓ガラス内面に布団を近接または密接配置させることにより、室内でも太陽の光を有効に利用して効果的に布団を乾燥、殺菌することができるものである。
【００２５】
図１ないし図７は、本発明の布団乾燥装置の第１の実施形態を示している。本実施形態において、布団乾燥装置１０は、図１、図２、図３に示すように、ベース部１２と、ベース部１２に係合される把持装置１４と、を有している。本実施形態では、布団乾燥装置１０は、例えば、１枚の窓の大きさが横が９０ｃｍ程度、縦が１８０〜２２０ｃｍ程度の引き戸式の窓に適用した場合で説明する。
【００２６】
本実施形態では、ベース部１２は、窓ガラス内面Ｗに着脱可能に固定されるベース部材からなり、布団Ｆを垂下させる把持装置１４を窓ガラス内面に支持する。本実施形態では、ベース部材は、例えば、窓ガラス内面Ｗに吸着固定可能な吸盤部材１６からなる。図３、図４に示すように、吸盤部材１６は、例えば、ゴム又はプラスチック等の弾性素材からなり、窓ガラス内面へ押圧して吸着固定させるものからなり、窓ガラス内面Ｗに吸着される吸着面１８と支持用柄部２０とを含み、吸着面１８を形成している吸盤本体２１と支持用柄部２０とが一体的に形成されている。本実施形態では、吸盤部材１６は、吸着面１８の吸着面積が比較的広く形成されており、平らな窓ガラス内面に対して強い吸着力で固定される。吸盤部材１６は窓ガラス内面Ｗに少なくとも２個配置されており、把持装置１４によって垂下する布団Ｆの左右中央位置に対して左右対称となる位置に固定されており、該吸盤部材にかかる負荷を略均等に分散して支持する。特に、３個以上の場合には、等間隔に配置されるとよい。なお、吸盤部材１６には吸着面の離脱用つまみ１９が設けられている。支持用柄部２０は、把持装置１４を連結又は着脱可能に係合させて該把持装置を支持する支持部であり、吸着面１８の窓ガラス内面Ｗへの吸着状態で室内側に向けて横方向に突出されている。すなわち、支持用柄部２０は、吸盤本体２１の吸着面に対する対向背面側から室内に向けて突出して把持装置１４を連結又は着脱可能に係合を受ける受用突部である。支持用柄部２０は、例えば、略円柱状で径の小さな小径円柱部と突設端部側に拡径された大径円柱部とが一体的に形成されるとともに、室内への突出幅が比較的低く設定されており、後述の把持装置１４のフック部材２６を係着させて把持装置１４を窓ガラス内面Ｗに近接または密着させた状態を維持しながら支持する。なお、支持用柄部２０の室内への突出幅が引き違い移動する互いの窓どうしの間の隙間の幅よりも小さく設定されていると、吸盤部材を常に窓ガラスに吸着させておくことができる。なお、吸盤部材１６は、レバー動作により吸着面側の空気を抜いて吸着するものでもよい。
【００２７】
図１、図２に示すように、把持装置１４は、吸着部材１６に着脱自在に係合されつつ、布団Ｆの一辺側を把持して他辺側を垂下させ、布団Ｆの一面側を窓ガラス内面に近接または密接配置させる把持手段である。本実施形態では、図３、図４、図５、図６に示すように、把持装置１４は、布団Ｆの一辺側を着脱可能に挟持する一対の挟持片２２と、挟持片２２を開閉可能としつつ閉鎖状態をロック保持するロック機構２４と、を含む。把持装置１４は、吸着部材１６に対して垂下支持されており、吸盤部材１６に係着した状態で窓ガラス側の挟持片２２が該窓ガラス内面Ｗに当接するとともに把持した布団Ｆの一面側の一部又は全面が自然に窓ガラス内面Ｗへ密着させる。よって、窓ガラス外面側から室内に斜めに入射してくる太陽光が把持した布団Ｆに良好に当たりやすくなっている。本実施形態では、把持装置１４には、下向き開放のフック部材２６が設けられている。把持装置１４は、このフック部材２６を介して下部位置から上方側に向けて把持装置全体を吸盤部材１６の支持用柄部２０に着脱自在に係着可能としつつ（図７参照）、上記のように垂下支持される構成を実現している。フック部材２６は、支持用柄部２０の小径円柱部に係着されつつ、大径円柱部により室内側への離脱が防止される。なお、フック部材２６は縦軸回りに自在に回動するようになっている。
【００２８】
本実施形態では、把持装置１４は、一対の挟持片２２にそれぞれ支持脚２８、３０が連結されつつ、それらの支持脚２８，３０の上部側にロック片３２が接続され、ロック片３２の上端側にフック部材２６が取り付けられている。本実施形態では、挟持片２２は、例えば、金属製の基板に合成樹脂等の被覆加工がされた横長の板状部材からなる。支持脚２８、３０は、例えば、略Ｍ字状に曲成された金属杆部材からなり、それらの左右両端部側を下方側へ延長させて挟持片２２の中間位置に固定されている。支持脚２８、３０の中間の略Ｍ字部分には、横方向に直線状に形成された軸部２８ａ、３０ａが形成されている。これらの支持脚２８、３０は、中間の略Ｍ字曲成部分で一方の支持脚２８に対して他方の支持脚３０が外側から内側に巻き込むように曲成され、それぞれの略Ｍ字の２箇所の山なり曲成部分で係合されて互いに離脱しないようになっており、例えば、挟持片２２を互いに当着する位置から互いに十分に開いた位置まで開閉できるようになっている。ロック片３２は、例えば、プラスチック等の合成樹脂製の異形Ｌ字枠状部材からなり、一方の支持脚２８の軸部２８ａ回りに回動自在に接続されつつ、挟持片２２の閉鎖状態では所定の回動位置で他方の支持脚３０の軸部３０ａを受け入れてロック状に位置決めするようになっており、ロック機構２４を構成している。具体的には、ロック片３２は、一方の支持脚２８の軸部２８ａを軸支した軸支部３３と、異形Ｌ字内部側に他方の支持脚３０の軸部３０ａを内外に自在に移動可能な開口部３４と、開口部３４に連通しつつ挟持片２２の閉鎖状態で他方の支持脚３０の軸部３０ａを異形Ｌ字隅部位置で半ロック状に収容する受凹部３５と、を有している。本実施形態では、支持脚２８、３０の軸部２８ａ、３０ａと、ロック片３２と、が協働して、挟持片２２のロック機構２４を構成している。
【００２９】
把持装置１４に布団Ｆの一辺側を把持させる際には、図５上、二点鎖線に示すように、ロック片３２を一方の支持脚２８の軸部２８ａ周りに回動させて、他方の支持脚３０の軸部３０ａをロック片３２から離脱させて、支持脚２８，３０のロックを解除する。ロック解除状態では、図６に示すように、挟持片２２が自在に開閉し、種々の布団の厚みに応じて該布団の一辺側を挟持させることができる。そして、図５の実線に示すように、挟持片２２に布団Ｆを挟んだ状態でロック片３２を戻し、支持脚３０の軸部３０ａを開口部３４を介して受凹部３５にロック状に収容して支持脚をロック状態とし、挟持片２２の閉鎖状態でロック保持する。これにより、把持装置１４は、挟持片２２を開閉させて簡単に厚さの異なる布団Ｆを把持又は解除させることができると同時に、布団Ｆを把持した挟持片２２の閉鎖状態ではロック保持して布団Ｆの落下を確実に防止できる。また、支持脚を杆部材で形成しているので把持装置を軽量化でき、吸盤部材に対する重量負荷を軽減できる。なお、把持装置１４は、バネ等の弾性部材により挟持片２２を開閉する構造でもよいが、本実施形態のように挟持片２２の閉鎖状態をロック保持するロック機構を有していると、より確実に布団の把持状態を維持できる。挟持片の開閉構造は上記に限らず、挟持片２２を支持する支持部材を互いに回動できるように枢着軸で連結したものでもよい。その際、ロック機構２４は、例えば、挟持片の閉鎖状態で近接する支持部材の外側からまとめて嵌合状に挿嵌させる中空の枠部材又は筒部材を着脱させることにより構成してもよい。また、ロック機構２４は、万力のように挟持片２２の閉鎖位置を保持できる構成でもよく、その他任意の構成でよい。また、把持装置１４は、吸盤部材１６に着脱自在に係着可能な構成に限らず、吸盤部材１６と固定的に連結されていてもよい。また、上記のようなフック部２６の構成に限らず、孔構成や開閉式のフック構成等、その他任意の着脱機構でもよい。
【００３０】
次に、本実施形態に係る布団乾燥装置の作用を説明するとともに本実施形態に係る布団乾燥方法について説明する。なお、本実施形態では、一枚の布団Ｆを支持するのに２個の布団乾燥装置１０を用いているが、布団の大きさや重量あるいは、布団乾燥装置の大きさ等に応じて１個または３個以上の複数個用いても良い。まず、例えば、窓ガラス内面Ｗの上辺側近くの高位置に着脱自在に取り付け固定されるベース部材として２個の吸盤部材１６を吸着させておく。図５の二点鎖線に示すように、把持装置１４のロック片３２を回動させてロック機構２４による挟持片２２の閉鎖状態のロックを解除し、挟持片２２の間に布団の一方の短辺側を挟む。ロック片３２を戻して、挟持片２２の閉鎖状態をロック保持する。図７に示すように、２個の把持装置１４を布団Ｆの短辺側に把持させた状態で持ち上げて、把持装置１４のフック部材２６を吸盤部材１６の支持用柄部２０に係着させる。図１、図２に示すように、布団Ｆは縦長の状態で他方の短辺側を下として垂下させて、布団Ｆの一面側が窓ガラス内面Ｗに近接または密接配置された状態とする。そして、外面からの直接または間接に入射する太陽光により布団を天日干し乾燥させる。すなわち、窓ガラス内面Ｗに着脱自在に取り付け固定される吸盤部材１６とそれに連結される把持部材１４を介して布団Ｆの一辺側を把持するとともに他辺側を垂下させ、布団Ｆの一面側を窓ガラス内面に近接または密接配置させた状態で外面からの直接または間接に入射する太陽光により布団を乾燥させる。これにより、室内でも布団の一面側の略全面に太陽光を有効に当てることができ、効果的な布団の乾燥、殺菌を行える。さらに、室内で布団を干せるので外出時等の布団の雨濡れや花粉やほこり等の異物付着を確実に防止できる。布団乾燥終了後には、把持装置１４を吸盤部材から離脱して、布団Ｆから把持装置１４を離脱する。なお、所要の時間の経過後には、把持装置１４を吸盤部材１６から離脱して、布団の窓ガラス内面に対する面を表裏反転して乾燥することもできる。吸盤部材１６は、窓ガラスに常時吸着させたままとしておいてもよく、布団乾燥時には、該吸盤部材に対して布団Ｆを把持した把持装置１４の着脱操作で簡単に布団を窓ガラス内面に垂下支持させる。なお、窓ガラス内面側に垂下させる布団の下辺側が下の床面に着く場合でも略同様に乾燥させることができる。また、本実施形態では、布団を縦長の状態で垂下させる態様としたが、横長の状態で垂下させることとしてもよい。その際、２面の窓ガラスにまたがって布団及び複数の布団乾燥装置を配置させることとしてもよい。
【００３１】
次に、図８ないし図１０を参照しつつ本発明の蒲団乾燥装置の第２の実施形態について説明する。第１実施形態と同一部材には同一符号を付し、その詳細な説明は省略する。本実施形態に係る布団乾燥装置１０ａは、ベース部１２としての吸盤部材１６と、把持装置１４ａ、１４ｂと、把持装置１４ａ、１４ｂと協働して窓ガラス内面Ｗに対する布団Ｆの面を表裏反転させる反転機構３６と、を含む。本実施形態では反転機構３６により、簡便に布団Ｆの表裏両面に太陽光を当てることができ、より良好に布団の乾燥、殺菌を行うことができる。本実施形態では、反転機構３６は、布団Ｆの上下辺を反転させる動作で表裏反転させる上下辺反転装置３８からなる。なお、反転機構３６は、例えば、垂下した布団Ｆを縦軸回りに回転させる動作で表裏反転させるように構成してもよく、その他任意の構成でもよい。上下辺反転装置３８は、布団Ｆを垂下させる際に最初に上辺となる一辺側を把持する第１把持装置１４ａと、布団の下辺となる他辺側を把持する第２把持装置１４ｂと、第１、第２把持装置１４ａ、１４ｂを連結して布団Ｆを含むループを形成する索条４０と、索条４０をいずれかの周方向に向けて移動するように駆動させつつ布団Ｆの上下辺を反転位置に変位させる駆動装置４２と、を含む。
【００３２】
本実施形態では、ベース部１２は２個の吸盤部材１６の支持用柄部２０ａに例えば、合成樹脂製の筒状基体４４が支持されており、該筒状基体４４に駆動装置４２が支持されている。筒状基体４４は、吸盤部材１６に対して着脱可能に設けられている。なお、吸盤部材と固定的に接続されていてもよい。第１、第２把持装置１４ａ、１４ｂは、それぞれ一対の挟持片２２と、ロック機構２４と、を含む。なお、第１、第２把持装置は、例えば、上記実施形態の把持装置１４と略同じ構成でフック部材２６が無い態様のものでよい。第１、第２把持装置１４ａ、１４ｂは、それぞれ２個ずつで布団の上下辺となる辺側を把持しており、上下に対向する装置どうしで索条４０に連結されている。索条４０は、例えば、表面にゴム等の摩擦力の大きな素材が形成された可撓性のベルト又は紐からなり、少なくとも駆動装置４２のプーリに対して摩擦力により駆動されるようになっている。本実施形態では、駆動装置４２は、電動モータ４６と、索条４０をかけ回す２個プーリ４８と、２個のプーリ４８を両端に配置したシャフト５０と、大小の複数のギアを含み電動モータ４６の回転駆動力をシャフトに伝達する減速機構５２と、タイマー機能を有する制御部５４と、モータ駆動用の電源部５６と、を含む。本実施形態では、シャフト５０は、筒状基体４４内部に配置されつつ該筒状基体４４の両端部に設けられた軸支部で軸回転自在に支持されている。また、電動モータ４６、減速器５０、制御部５４、電源部５６も筒状基体４４に支持されている。本実施形態では、筒状基体４４の中間位置に減速機構５２が配置されており、大小の歯車を収容しうるように拡大された箱部４４ａが形成されている。筒状基体４４は、箱部４４ａの中央位置から左右に二つに分割される２つの略Ｔ字状筒部材を組み付けて構成されている。制御部５４は、例えば、タイマーにより設定した時間を計時した後に電動モータ４６を駆動させるとともに、布団Ｆが上下反転された後には電動モータ４６を停止制御する。制御部は、例えば、プーリの回転による索条の移動量を計算して所定の時間経過後に停止させる制御やリミットスイッチにより停止させる制御でもよい。電源部５６は、例えば、乾電池やボタン電池又は太陽電池等からなる。なお、駆動装置は、上記のものに限らず、例えば、シャフト５０に第２把持装置に接続される索条を巻き取り胴部と、第１把持装置に接続される索条を巻き取る胴部と、を備えて、シャフト５０の回転時には、第１把持装置の索条を巻き戻し、第２把持装置からの索条を巻き取ることにより、布団の上下辺を反転させることとしてもよく、その他任意の構成でもよい。
【００３３】
例えば、外出時には、第１、第２把持装置１４ａ、１４ｂを布団Ｆの上下辺となる短辺側に把持させ、第１把持装置１４ａを上側となる状態で索条４０をプーリ５２にかけ回して、布団を窓ガラス内面に近接させた状態で垂下させる。この際、制御部５４のタイマーを所定時間にセットしておく。所定時間が経過すると、制御部５４は電動モータ４６を自動的に駆動させる。電動モータ４６が駆動すると、減速機構５２からシャフト５０を介してプーリ５２が回転され、プーリ５２かけ回された索条４０を滑らないように周方向に向けて移動させる。索条４０は布団Ｆとともにループを形成しているので、索条４０の周方向への移動により、図１０に示すように、布団の上辺側（第１把持装置１４ａの把持側）が下方に移動しつつ、下辺側（第２把持装置１４ｂの把持側）が上方に移動して、布団Ｆの上下辺の反転位置に変位させる。布団Ｆが反転した後に制御部５４により電動モータを停止させ、布団Ｆの窓ガラス内面に対する面を初期の垂下状態から表裏反転して、他方側の面に太陽光を照射させることができる。これにより、室内で太陽光による布団の乾燥が行えるのに加えて、自動的に布団を表裏反転させて布団の両面に太陽光を当てることができ、より良好に布団の乾燥、殺菌を行える。
【００３４】
次に、図１１を参照しつつ第３の実施形態について説明する。上記実施形態と同一部材には同一符号を付しその詳細な説明を省略する。本実施形態に係る布団乾燥装置１０ｂでは、第２実施形態と上下反転装置の構造が異なっている。図１１は本実施形態の布団乾燥装置１０ｂの概略の構成を示しており、図１１に示すように、上下辺反転装置４８ａは、布団の上辺を把持する第１把持装置１４ｃと、布団の下辺を把持する第２把持装置１４ｄと、第２把持装置１４ｄに接続した索条５８を介して布団の下辺側を上方に持ち上げ駆動させる持ち上げ駆動装置６０と、布団Ｆの上辺側の第１把持装置１４ｃの把持を解除して布団Ｆの上辺側を重力落下させる解除装置６２と、を含む。
【００３５】
本実施形態では、第１把持装置１４ｃは、吸盤部材１６を介して垂下支持されており、布団を垂下させた際に上側となる短辺側を把持する。第１把持装置１４ｃには、解除装置６２が一体的に設けられており、例えば、所要時間経過までは挟持片２２を閉鎖して布団の上辺の把持状態を保持するとともに、所要時間経過後には挟持片２２を強制的に開いて、布団Ｆの上辺側の把持を解除する。第２把持装置１４ｄは、索条５８に接続されて吊支されており、布団を垂下させた際に下側となる短辺側を把持する。持ち上げ駆動装置６０は、例えば、垂下片６４に接続されるフック部材２６を有しており、窓ガラス吸盤部材１６に係着されて垂下支持されている。本実施形態では、持ち上げ駆動装置６０は、垂下片６４に支持された中空の支持基枠６６と、該支持基枠６６を横に貫通しつつ支持基枠６６に軸回転自在に支持されるシャフト６８と、シャフト６８の両端部側に固定され第２把持装置１４ｄに接続される索条５８を巻き取り・巻き戻しする巻取り胴部７０と、電動モータ４６と、大小の複数のギアを含み電動モータ４６の回転駆動力をシャフトに伝達する減速機構５２と、タイマー機能を有する制御部５４と、モータ駆動用の電源部５６と、を含む。
【００３６】
例えば、第１、第２把持装置１４ｃ、１４ｄを布団Ｆの上下辺となる短辺側に把持させ、第１把持装置１４ｃを吸盤部材１６に係着させ、布団Ｆを窓ガラス内面Ｗに近接させた状態で垂下させる。さらに、駆動装置６０を他の吸盤部材１６に係着させる。制御部５４のタイマーを所定時間にセットしておく。所定時間が経過すると、制御部５４は電動モータ４６を自動的に駆動させる。電動モータ４６が駆動すると、減速機構５２を介してシャフト６８を回転させて、巻取り胴部７０に索条５８を巻き取り、第２把持装置１４ｄを上方に持ち上げる。同時に解除装置６２により、第１把持装置１４ｃの布団の上辺側の把持を解除する。よって、布団の下辺側（第２把持装置１４ｄの把持側）が持ち上げ駆動装置により持ち上げられて上方に移動しつつ、上辺側（第１把持装置１４ｃの把持側）が重力により下方に移動することとなり、布団Ｆの上下辺の反転位置に変位させる。布団Ｆの下辺側が持ち上げられて反転した後に、制御部５４により電動モータを停止され、布団Ｆの窓ガラス内面に対する面を初期の垂下状態から表裏反転して、他方側の面に太陽光を照射させることができる。これにより、室内で太陽光による布団の乾燥が行えるのに加えて、自動的に布団を表裏反転させて布団の両面に太陽光を当てることができ、より良好に布団の乾燥、殺菌を行える。
【００３７】
以上説明した本発明の布団乾燥装置及び布団乾燥方法は、上記した実施形態のみの構成に限定されるものではなく、特許請求の範囲に記載した本発明の本質を逸脱しない範囲において、任意の改変を行ってもよい。例えば、上記実施形態において、把持装置１４（１４ａ、１４ｂ、１４ｄ）は、上記実施形態のものに限らず、布団を着脱自在に把持するものであれば任意でよい。図１２に示すように、例えば、１対の挟持片２２をバネ等の弾性部材７２で開閉する態様としてもよい。また、図１３に示すように、例えば、一対の挟持片２２がある程度の弾性を有する素材からなるとともに連結部７４を介して一体的に連結されており、つまみ部を近接させることにより連結部７４を素材変形させて挟持片２２を開閉する構成としてもよい。また、図１４に示すように、例えば、挟持片２２を支持する支持板７６の一方にねじ７７を固定しつつ該ねじ７６を他方の支持板７６に貫通させてナット７８により挟持片２２の開閉調整可能な構造としてもよい。また、図１５に示すように、例えば、係止爪７９を他方の支持板７６に固定されているラック部８０に係止させて挟持片２２の開方向への移動を阻止するとともに、解除つまみ８１を操作して挟持片２２の閉方向へは自在に移動させ得るようなラチェット機構８２により挟持片２２を開閉するようにしてもよい。その他、クランプ機構等や挟持片２２を開閉する任意の機構を備えたものでもよい。
【産業上の利用可能性】
【００３８】
本発明の布団乾燥装置及び布団乾燥方法は、室内でも太陽の光を有効に利用して布団の乾燥、殺菌を効果的に行える。
【図面の簡単な説明】
【００３９】
【図１】本発明の布団乾燥装置及び布団乾燥方法の第１の実施形態の全体正面説明図である。
【図２】図１の布団乾燥装置の側面図である。
【図３】図１の布団乾燥装置の一部拡大説明図である。
【図４】図３の側面図である。
【図５】図３のＡ−Ａ線要部断面拡大図及びロック機構の作用説明図である。
【図６】挟持片の開閉作用説明図である。
【図７】ベース部と把持装置の分離状態及びベース部に対する把持装置の係着操作の説明図である。
【図８】本発明の布団乾燥装置の第２の実施形態の全体正面説明図である。
【図９】駆動装置周辺の要部拡大斜視説明図である。
【図１０】図８の布団乾燥装置の側面図及びその作用説明図である。
【図１１】本発明の布団乾燥装置の第３の実施形態の全体正面説明図である。
【図１２】把持装置の他の形態の概略説明図である。
【図１３】把持装置の他の形態の概略説明図である。
【図１４】把持装置の他の形態の概略説明図である。
【図１５】把持装置の他の形態の概略説明図である。
【符号の説明】
【００４０】
１０、１０ａ、１０ｂ  布団乾燥装置
１２  ベース部
１４、１４ａ、１４ｂ、１４ｃ、１４ｄ  把持装置
１６  吸盤部材
１８  吸着面
２０  支持用柄部
２２  挟持片
２４  ロック機構
２６  フック部材
３６  反転機構
３８、３８ａ  上下辺反転装置
４０  索条
４２  駆動装置
５８  索条
６０  持ち上げ駆動装置
６２  解除装置
【図１】
2008194325.tif 000003
【図２】
2008194325.tif 000004
【図３】
2008194325.tif 000005
【図４】
2008194325.tif 000006
【図５】
2008194325.tif 000007
【図６】
2008194325.tif 000008
【図７】
2008194325.tif 000009
【図８】
2008194325.tif 000010
【図９】
2008194325.tif 000011
【図１０】
2008194325.tif 000012
【図１１】
2008194325.tif 000013
【図１２】
2008194325.tif 000014
【図１３】
2008194325.tif 000015
【図１４】
2008194325.tif 000016
【図１５】
2008194325.tif 000017